【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
コンピュータ実行可能命令が具現化された１つ又はそれ以上のコンピュータ記憶媒体であって、前記命令は、実行されると、プロセッシングデバイスに、
ターゲットデバイスが前記プロセッシングデバイスとのネットワーク接続を確立したことを検出する段階と、
前記ターゲットデバイスに記憶された、リクエスト側デバイスによって生成される少なくとも１つの問合せリクエストを認識する段階であって、前記少なくとも１つの問合せリクエストは前記ターゲットデバイスに記憶されたメディアコンテンツを含む問合せ結果により満足され、前記メディアコンテンツは、前記ターゲットデバイスにおいて前記リクエスト側デバイスからの前記少なくとも１つの問合せのリクエストを受信すると、前記リクエスト側デバイスに返される、段階と、
前記少なくとも１つの問合せリクエストを満足する問合せ結果について前記ターゲットデバイスをサーチすることにより、前記少なくとも１つの問合せリクエストに応答するかどうかを判断する段階と、
前記満足する問合せ結果が利用可能でなく、前記少なくとも１つの問合せリクエストが応答されるべきであることを前記判断が示す場合には、前記プロセッシングデバイスにおいて、前記少なくとも１つの問合せリクエストに応答して問合せ結果を生成する段階と、
前記リクエスト側デバイスによる消費のために前記ターゲットデバイス内に記憶される問合せ結果を送る段階と、
を含む方法を実行させる、
ことを特徴とするコンピュータ記憶媒体。
【請求項２】
前記少なくとも１つの問合せリクエストに応答するかどうかを判断する段階が、前記プロセッシングデバイスにとって利用可能な処理能力に基づいている、
ことを特徴とする請求項１に記載のコンピュータ記憶媒体。
【請求項３】
前記ターゲットデバイスは、記憶されたメディアコンテンツについてサーチ可能な取外し可能記憶媒体を含む、
ことを特徴とする請求項１に記載のコンピュータ記憶媒体。
【請求項４】
問合せ結果を生成する段階が、問合せ結果を生成するために、前記プロセッシングデバイスが前記ターゲットデバイスの前記メディアコンテンツをサーチすることを可能にするように構成されたコマンドを、前記ターゲットデバイスに対して発行する段階を含む、
ことを特徴とする請求項１に記載のコンピュータ記憶媒体。
【請求項５】
前記少なくとも１つの問合せリクエストのフォーマット及び前記問合せ結果のフォーマットは、メディア転送プロトコルに準拠する、
ことを特徴とする請求項１に記載のコンピュータ記憶媒体。
【請求項６】
コンピュータ実行可能命令が具現化された１つ又はそれ以上のコンピュータ記憶媒体であって、前記命令は、実行されると、ターゲットデバイスに、
リクエスト側デバイスへのネットワーク接続を確立すると、前記リクエスト側デバイスによって生成される少なくとも１つの問合せリクエストを前記リクエスト側デバイスから取得する段階と、
前記少なくとも１つの問合せリクエストに応答する問合せ結果が前記ターゲットデバイスのローカル記憶装置で利用可能であるかどうかを判断する段階であって、前記応答する問合せ結果は前記ターゲットデバイスにおいて記憶されるコンテンツに関連するメタデータを含む、段階と、
前記少なくとも１つの問合せリクエストに応答する問合せ結果が前記ターゲットデバイスのローカル記憶装置内で利用可能である場合、前記問合せ結果を前記ターゲットデバイスから前記リクエスト側デバイスに送る段階と、
前記少なくとも１つの問合せリクエストに応答する問合せ結果が前記ローカル記憶装置で利用可能でない場合、前記少なくとも１つの問合せリクエストに応答するかどうかを判断する段階であって、前記ターゲットデバイスの処理能力を評価する段階を含む、段階と、
前記ターゲットデバイスの処理能力が所定の時間フレーム内に前記少なくとも１つの問合せリクエストを生成するのに利用可能な処理能力を含むと前記判断が示す場合、前記少なくとも１つの問合せリクエストに応答して問合せ結果を生成し、前記問合せ結果を前記リクエスト側デバイスに送る段階と、
前記少なくとも１つの問合せリクエストが応答されない場合、プロセッシングデバイスへの将来の送信のために前記少なくとも１つの問合せリクエストを記憶する段階であって、前記少なくとも１つの問合せリクエストが保留中であることを示すマーカを前記少なくとも１つの問合せリクエストに付加する段階を含む、段階と、
を含む方法を実行させる、
ことを特徴とする１つ又はそれ以上のコンピュータ記憶媒体。
【請求項７】
前記少なくとも１つの問合せリクエストに応答するかどうか判断する段階が、
前記ターゲットデバイスが現在利用可能な処理能力を示すスレショルド値を読み取る段階と、
前記少なくとも１つの問合せリクエストが前記スレショルド値に満たない処理時間を必要とする場合、前記ターゲットデバイスにおいて問合せ結果を生成する段階と、
を含むことを特徴とする請求項６に記載のコンピュータ記憶媒体。
【請求項８】
前記少なくとも１つの問合せリクエストに応答するかどうかを判断する段階が、前記ターゲットデバイスにとって利用可能なコンテンツに基づいている、
ことを特徴とする請求項６に記載のコンピュータ記憶媒体。
【請求項９】
前記問合せ結果を生成する段階が、問合せ結果を生成するために、前記ターゲットデバイスにとって利用可能なコンテンツを操作する段階を含む、
ことを特徴とする請求項６に記載のコンピュータ記憶媒体。
【請求項１０】
前記問合せ結果のフォーマットは、前記リクエスト側デバイスによって指定される、
ことを特徴とする請求項６に記載のコンピュータ記憶媒体。
【請求項１１】
ターゲットデバイスに問合せを行うとリクエスト側デバイスにおいて少なくとも１つの問合せ結果を取得する、コンピュータ化された方法であって
前記ターゲットデバイスが前記リクエスト側デバイスとのネットワーク接続を確立したことを検出する段階と、
前記ターゲットデバイスに記憶されたメディアコンテンツを含む少なくとも１つの問合せ結果により満足される問合せリクエストを生成する段階であって、前記メディアコンテンツは、前記ターゲットデバイスにおいて前記リクエスト側デバイスからの少なくとも１つの問合せのリクエストを受信すると、前記リクエスト側デバイスに返される、段階と、
前記問合せリクエストを前記ターゲットデバイスに送る段階と、
保留状態が前記問合せリクエストに関連付けられているかどうかを判断する段階であって、前記保留状態は、前記問合せリクエストを満足させる前記少なくとも１つの問合せ結果があとで生成されることを示す、前記ターゲットデバイスに記憶された前記問合せ結果に付加されたマーカにより認識される、段階と、
保留状態が前記問合せリクエストに関連付けられていない場合、前記少なくとも１つの問合せ結果を含む前記メディアコンテンツを前記ターゲットデバイスから前記リクエスト側デバイスへ自動的に取り出す段階であって、前記少なくとも１つの問合せ結果は前記問合せリクエストに応答するものであり、プロセッシングデバイスにより生成される、段階と、
を含むことを特徴とする方法。
【請求項１２】
前記問合せリクエストは、前記リクエスト側デバイスによりサーチ可能な前記ターゲットデバイス内の取外し可能な記憶媒体に記憶されることを特徴とする請求項１１に記載のコンピュータ化された方法。
【請求項１３】
前記プロセッシングデバイスは、前記ターゲットデバイスの前記メディアコンテンツをサーチすることにより前記少なくとも１つの前記問合せ結果を生成する、
ことを特徴とする請求項１１に記載のコンピュータ化された方法。
【請求項１４】
前記少なくとも１つの問合せ結果のフォーマットは、前記リクエスト側デバイスによって指定され、前記フォーマットは、前記リクエスト側デバイスに存在する、前記少なくとも１つの問合せ結果を消費するのに利用される１つ又はそれ以上のアプリケーションに基づく、
ことを特徴とする請求項１１に記載のコンピュータ化された方法。
【請求項１５】
前記ターゲットデバイスをサーチすることは、
前記少なくとも１つの問合せリクエストに付加されたマーカを読み取る段階と、
前記ターゲットデバイスが前記少なくとも１つの問合せリクエストに具体化された問合せを満足しなかったことを前記マーカが示す場合、前記少なくとも１つの問合せリクエストを保留中であると識別する段階と、
をさらに含むことを特徴とする請求項１に記載のコンピュータ記憶媒体。
【請求項１６】
前記少なくとも１つの問合せリクエストに応答して問合せ結果を生成する段階は、
前記少なくとも１つの問合せリクエストが保留中であると識別される場合、前記少なくとも１つの問合せリクエストに具体化された問合せを満足する、前記プロセッシングデバイスにとってローカルにアクセス可能なコンテンツをサーチする段階と、
前記問合せを満足するコンテンツが特定される場合、これに基づいて問合せ結果を生成する段階と、
前記プロセッシングデバイスにとってローカルにアクセス可能なコンテンツが前記問合せを満足しない場合、リモートソース上でコンテンツをサーチする段階と、
を含むことを特徴とする請求項１５に記載のコンピュータ記憶媒体。
【請求項１７】
前記プロセッシングデバイスへの将来の送信のために前記少なくとも１つの問合せリクエストを記憶する段階は、前記ターゲットデバイスが前記プロセッシングデバイスに接続される度に前記プロセッシングデバイスに前記問合せ結果を生成させる、永続的なリクエストマーカを前記少なくとも１つの問合せリクエストに付加する段階をさらに含むことを特徴とする請求項６に記載のコンピュータ記憶媒体。
【請求項１８】
前記プロセッシングデバイスへの将来の送信のために前記少なくとも１つの問合せリクエストを記憶する段階は、前記ターゲットデバイスにとって利用可能なコンテンツが変更される場合に前記ターゲットデバイスに前記問合せ結果を生成させる、更新リクエストマーカを前記少なくとも１つの問合せリクエストに付加する段階をさらに含むことを特徴とする請求項６に記載のコンピュータ記憶媒体。
【請求項１９】
問合せリクエストを生成することが、前記リクエスト側デバイスを前記問合せリクエストを提供するものとして示すオブジェクトを前記問合せリクエスト内に含める段階を含む請求項６に記載のコンピュータ記憶媒体。
【請求項２０】
前記少なくとも１つの問合せ結果を自動的に取り出すことは、前記少なくとも１つの問合せ結果に含まれるオブジェクトが、前記リクエスト側デバイスを、前記少なくとも１つの問合せ結果が応答する前記問合せリクエストを提供するものとして示す場合に、前記少なくとも１つの問合せ結果を取得する段階を含む請求項６に記載のコンピュータ記憶媒体。